(57)【要約】【課題】健康増進作用を有するトルマリンを効果的に身体に装着することができ、しかもその装飾性を飛躍的に高めた装身具を提供することにある。【解決手段】身体に装着可能なリング状に成型されている弾性線材からなる装身具であって、当該弾性線材には長さ方向にスリットを設けた筒状の装飾体が取り付けられており、弾性線材を伸ばして細くした状態で、上記スリットからはめ込んで装着することにより、はめ込まれた状態では弾性線材が元の太さに復元して、上記スリットから装飾体が抜け落ちないようにしたことを特徴とする装身具。【選択図】          図１
2004290281.tif 000002
【特許請求の範囲】
【請求項１】
身体に装着可能なリング状に成型されている弾性線材からなる装身具であって、当該弾性線材には長さ方向にスリットを設けた筒状の装飾体が取り付けられており、弾性線材を伸ばして細くした状態で、上記スリットからはめ込んで装着することにより、はめ込まれた状態では弾性線材が元の太さに復元して、上記スリットから装飾体が抜け落ちないようにしたことを特徴とする装身具。
【請求項２】
前記弾性線材が、シリコンゴムであることを特徴とする請求項１に記載の装身具。
【請求項３】
前記シリコンゴムには、トルマリン粉末、ゲルマニウム粉末、磁性体粉末その他の健康増進作用のある添加剤が練り込まれていることを特徴とする請求項１または請求項２に記載の装身具。
【請求項４】
前記装飾体が、トルマリン粉末、ゲルマニウム粉末、磁性体粉末その他の健康増進作用のある添加剤が配合された貴金属合金からなることを特徴とする請求項１ないし請求項３のいずれかに記載の装身具。
【発明の詳細な説明】
【０００１】
【発明の属する技術分野】
この発明は、主に身体に装着することによって被装着者の健康を増進する装身具に関するものである。
【０００２】
【従来の技術】
血行を良くする磁力を発生させる磁性体を、身体に密着するように装着する構成の健康増進作用のある装身具は従来から広く知られている。
【０００３】
近年、このような血行を良くする等の健康増進作用を有する物質として、天然の鉱物であるトルマリンやゲルマニウム等が注目されている。
【０００４】
トルマリンは「電気石」とも呼ばれており、このトルマリンの結晶に熱や圧力を加えると、その結晶の両端にプラス極とマイナス極が生成される。そして、この結晶のプラス極からマイナス極に流れる微弱電流と、この微弱電流に起因して発生する遠赤外線とマイナスイオンとが血行を良くする等の健康増進作用を身体に及ぼすと考えられているのである。
【０００５】
ところで、上記トルマリン等の使用に際してはシリコンゴム等の素材に練り込んで紐状とし、ネックレスやブレスレットとして使用されることが一般的である。しかしながら、このようなネックレスやブレスレットはデザイン的に単調であり、また装飾性を高める方法としては素材に着色材を練り込むことぐらいしかなかったのが現状である。
【０００６】
【特許文献】
特に参考になるものなし。
【０００５】
【発明が解決しようとする課題】
したがってこの発明の目的は、健康増進作用を有するトルマリンを効果的に身体に装着することができ、しかもその装飾性を飛躍的に高めた装身具を提供することにある。
【０００７】
【課題を解決するための手段】
以上の目的を達成するため、この発明の装身具は、身体に装着可能なリング状に成型されている弾性線材からなる装身具であって、当該弾性線材には長さ方向にスリットを設けた筒状の装飾体が取り付けられており、弾性線材を伸ばして細くした状態で、上記スリットからはめ込んで装着することにより、はめ込まれた状態では弾性線材が元の太さに復元して、上記スリットから装飾体が抜け落ちないようにしたことを特徴とするものである。
【０００８】この発明の装身具は、前記弾性線材が、シリコンゴムであることをも特徴とするものである。
【０００９】この発明の装身具は、前記シリコンゴムに、トルマリン粉末、ゲルマニウム粉末、磁性体粉末その他の健康増進作用のある添加剤を練り込んだことをも特徴とするものである。
【００１０】この発明の装身具は、前記装飾体が、トルマリン粉末、ゲルマニウム粉末、磁性体粉末その他の健康増進作用のある添加剤が配合された貴金属合金からなることをも特徴とするものである。
【００１１】
【発明の実施の形態】
以下、図面を用いてこの発明の装身具の実施形態について詳細に説明する。
図１はこの発明の装身具をブレスレットに適用した実施例を示す正面図、図２はその要部拡大図、図３は弾性線材と装飾体の組み付け方法を示す断面図、図４はこの発明の装身具の他の実施例を示す要部拡大図、図５はこの発明の装身具のさらに別の実施例を示す断面図である。
【０００９】
図１および図２はこの発明の一実施形態に係るブレスレット状の装身具１１の構成を示すものである。このブレスレット状の装身具１１は、身体の手首の部分に装着するものであり、装身具１の径は、成人の手首の平均的な径と一致するような値に選ばれている。
【００１０】
そして、図１に示したブレスレット状の装身具１１は、トルマリン、ゲルマニウム、磁性体等の微粉末を練り込んだ弾性素材、例えば合成ゴムやシリコンゴム、軟質プラスチック等の伸長して太さが細くなるような素材を、温圧プレス機、注型成形機等を用いて成型することによって製造されるものである。
【００１１】
この実施例においては、トルマリンを１５０ミクロン程度の大きさの微粉末にしてシリコンゴムからなる弾性素材１２に練り込んである。また、弾性素材１２に練り込むトルマリンの微粉末は弾性素材１２に対して１重量％以上の割合となるように配合してある。
【００１２】
以上のように構成されたこの実施例に係るブレスレット状の装身具１１にあっては、装身具１１内に存在するトルマリンの微粉末を、常に身体に近接または接触した状態に保つことができる。そして、このように身体に近接または接触したトルマリンの微粉末すなわち微粉末化されたトルマリンの結晶は身体の体温によって熱される。
【００１３】
したがって、身体に装着された装身具１１内のトルマリンの結晶は微弱電流を発生させ、この微弱電流によって遠赤外線とマイナスイオンとが発生し、着用者の健康増進に寄与するのである。
【００１４】
ここで、トルマリンの結晶が発生させる微弱電流は、体内で発生している整体電流の値とほぼ同じ値の電流であり、この微弱電流はヒドロキシルイオンを発生させることにより、界面活性作用すなわち殺菌作用や消臭作用等の作用を身体に及ぼすとされている。
【００１５】
また、遠赤外線は、身体の血行を良くして新陳代謝を活発にし、細胞を活性化することが知られている。マイナスイオンは、体内の活性酸素を中和することにより、自律神経を安定させたり、自然治癒力を高めたりする等の作用があることが知られている。
【００１６】
従って、この実施例に係るブレスレット状の装身具１を手首に装着しておけば、装身具１内のトルマリンの作用、換言すれば、微弱電流の作用、遠赤外線の作用、マイナスイオンの作用により、被装着者の健康の維持または健康の増進を図ることができる。
【００１７】
この発明に係る装身具は、図２に示したように、弾性線材１２の長さ方向に沿ってスリット１４を設けた筒状の装飾体１３が取り付けられている。この装飾体１３は、トルマリン粉末、ゲルマニウム粉末、磁性体粉末その他の健康増進作用のある添加剤が配合された、金や銀、プラチナ等の貴金属合金であることが望ましい。
【００１８】
上記装飾体１３は、図３のように弾性線材１２を引き伸ばして細くした状態で、上記スリット１４からはめ込んで弾性線材１２に装着することにより取り付けられる。装飾体１３がはめ込まれた状態において弾性線材１２に加えた力を解除すると、弾性線材１２は元の太さに復元してスリット１４の間隔よりも太くなるので、上記スリット１４から装飾体１３が抜け落ちることがない。したがって、装飾体１３のスリット１４の間隔、弾性線材１２の太さ等は、弾性線材１２の硬さや復元力等を勘案して適宜決定することが望ましい。
【００１９】
上記装飾体１３は、その表面に種々の装飾を施すことができる。すなわち、鋳造の際に所望のデザインを施したり、彫金や刻印を施したり、樹脂や漆等を用いてコーティングしたりすることにより、意匠的な効果を高めることができる。したがって、弾性線材１２のみでは得られない付加価値を装身具に付与することができる。
【００２０】
図１では、スリット１４を装飾体１３に対して斜めに角度を付けた例を示したが、図４のようにスリット２２を装飾体２１に対して平行に形成したり、例えば波形に形成することも可能である。
【００２１】
図５はこの発明の装身具のさらに別の実施例を示し、装飾体３１の手首等の身体に接触する部位に粘着シート３２等を介してゲルマニウム粒３３を貼付したものである。このようにゲルマニウム粒３３を装飾体３１の手首等の身体に接触する部位に貼付することにより、ゲルマニウムが有するといわれている各種の作用、例えば肩こりや腰・ヒザ・ヒジなどの筋肉のコリを緩和し、憂鬱なからだの不調を解消するという顕著な効果を奏するものと考えられる。
【００２２】
この発明の装身具は、上記実施例のブレスレット状の装身具１１に限られるものではなく、装身具の径を選択することにより、足首に装着するアンクレット状の装身具としてもよく、また首に装着するネックレス状の装身具としてもよい。
【００２３】
以上説明した装身具は、トルマリンの微粉末を練り込んだシリコンゴムによって構成した例を示しているが、例えばこのシリコンゴムには、トルマリンの微粉末に加えて、ヘマタイトの帯磁した微粉末やゲルマニウム粉末、蓄光材料を微粉末化したもの等を練り込んでもよい。ヘマタイトの帯磁した微粉末を練り込んだ場合には、その微粉末が発生する磁力によって遠赤外線と同様の作用を期待することができ、蓄光材料を微粉末化したものを練り込んだ場合には、暗闇で光を発するという発光作用による装飾効果等の効果を期待することができる。
【００２４】
【発明の効果】
以上説明したように、この発明によれば、健康増進作用を有するトルマリン等を配合した装身具を効果的に身体に装着することができる。
【００２５】
また、弾性線材に装飾体をワンタッチで装着あるいは抜き取ることができ、装身具の装飾性を飛躍的に高めることができ、しかも弾性線材と装飾体とを適宜組み合わせて使用することができるので、商品のバリエーションを無限に拡大することができる。
【図面の簡単な説明】
【図１】この発明の装身具をブレスレットに適用した実施例を示す正面図である。
【図２】その要部拡大図
【図３】弾性線材と装飾体の組み付け方法を示す断面図である。
【図４】この発明の装身具の他の実施例を示す要部拡大図
【図５】この発明の装身具のさらに別の実施例を示す断面図である。
【符号の説明】
１１  ブレスレット状の装身具
１２  弾性素材
１３  装飾体
１４  スリット
２１  装飾体
２２  スリット
３１  装飾体
３２  粘着シート
３３  ゲルマニウム粒
【図１】
2004290281.tif 000003
【図２】
2004290281.tif 000004
【図３】
2004290281.tif 000005
【図４】
2004290281.tif 000006
【図５】
2004290281.tif 000007